(57)【要約】【課題】腕の力を利用させることにより腹筋運動を補助する腹筋運動補助具を提供する。【解決手段】ユーザの両太腿の間に配置される中央部材(2)と、膝を曲げた両太腿の裏側に位置して前記中央部材から左右両側に延びるベースバー(3)と、前記両太腿の表側に位置して前記中央部材に設けられたハンドルバー(4)とを備えた構成である。使用に際し、仰向け姿勢としたユーザの両太腿の間に中央部材(2)を挟持し、両太腿の裏側に前記ベースバー(3)を当接させる。この状態で、ハンドルバー(4)を両手で握持し、両腕を引くことにより上体を起き上げることにより、腕力による助けを借りながら腹筋運動を行う。【選択図】図１
2009254552.tif 000002
【特許請求の範囲】
【請求項１】
ユーザの両太腿の間に配置される中央部材(2)と、膝を曲げた両太腿の裏側に位置して前記中央部材から左右両側に延びるベースバー(3)と、前記両太腿の表側に位置して前記中央部材に設けられたハンドルバー(4)とを備え、仰向け姿勢としたユーザの両太腿の間に中央部材(2)を挟持すると共に両太腿の裏側に前記ベースバー(3)を当接させた状態で、前記ハンドルバー(4)を両手で握持し、両腕を引くことにより上体を起き上げるように構成して成ることを特徴とする腹筋運動補助具。
【請求項２】
前記中央部材(2)を介して前記ベースバー(3)とハンドルバー(4)の間隔距離(L)を変更可能とする間隔調節手段(7)と、所定の間隔状態で固定する固定手段(10)とを備えて成ることを特徴とする請求項１に記載の腹筋運動補助具。
【請求項３】
前記間隔調節手段(7)は、中央部材(2)を構成する外筒部材(5)と内筒部材(6)を相互に伸縮可能となるように嵌挿することにより形成されており、前記固定手段(10)は、外筒部材(5)と内筒部材(6)を所定の伸縮位置で相互に固定する固定具(9)により形成されて成ることを特徴とする請求項１又は２に記載の腹筋運動補助具。
【請求項４】
前記間隔調節手段(7)は、ベースバー(3)又はハンドルバー(4)を選択的に挿通させるように中央部材(2)の軸方向に所定間隔をあけて設けられた複数の選択孔(14)により形成され、前記固定手段(10)は、ベースバー(3)又はハンドルバー(4)を選択孔に挿通した状態で遊動不能に固定する固定具(9)により形成されて成ることを特徴とする請求項１又は２に記載の腹筋運動補助具。
【発明の詳細な説明】
【技術分野】
【０００１】
本発明は、腹筋運動を補助するための腹筋運動補助具に関する。
【背景技術】
【０００２】
従来、長いロッドの先端と尾端にそれぞれＴ形グリップを設け、仰向け姿勢としたユーザが先端のＴ形グリップを足の裏に当接し、尾端のＴ形グリップを両手で握持した状態で、両腕を引くことにより上体を起き上げるように構成した運動具が提案されている。
【０００３】
【特許文献１】特開平９−３１３６３９号公報
【発明の開示】
【発明が解決しようとする課題】
【０００４】
従来技術（特許文献１）は、ユーザが両下肢を直線状に伸ばした状態で足の裏に運動具の先端のＴ形グリップを当接し、両下肢の上方に沿って長く延びるロッドの尾端のＴ形グリップを腕で引き寄せながら上体を起き上げることにより腹筋運動を行うものであるから、上体の起き上げに伴い、ロッドが先端のＴ形グリップを支点として上方に揺動する（特許文献１の図５参照）。
【０００５】
従って、ユーザの上体を起き上げた状態で、握持したＴ形グリップが上体の胸の近傍に位置するので、それ以上に上体を下肢に向けて移動させることができず、起き上がり角度が制限され、十分な運動を期待できない。
【０００６】
また、腹筋運動中、両手で握持したＴ形グリップが上下移動を繰り返すため、ユーザの腕が安定せず、腕に無理な力が入ると腕の筋肉を痛めるおそれがある。
【０００７】
更に、上体を起き上げる際に、ユーザの両下肢は伸び切った状態にあり、足の裏で先端のＴ形グリップを突っ張っているので、下肢の筋肉を鍛練できない。
【０００８】
本発明は、ユーザが腕力による補助を受けながら腹筋運動を行うことができるようにした腹筋運動補助具を提供するものであり、この際、十分な上体の起き上がり角度を可能としており、しかも、両腕を安定させることにより腕力による腹筋の補助を好適に行い、更に、腹筋と同時に両太腿の筋肉を鍛練できる腹筋運動補助具を提供するものである。
【課題を解決するための手段】
【０００９】
そこで、本発明が手段として構成したところは、ユーザの両太腿の間に配置される中央部材と、膝を曲げた両太腿の裏側に位置して前記中央部材から左右両側に延びるベースバーと、前記両太腿の表側に位置して前記中央部材に設けられたハンドルバーとを備え、仰向け姿勢としたユーザの両太腿の間に中央部材を挟持すると共に両太腿の裏側に前記ベースバーを当接させた状態で、前記ハンドルバーを両手で握持し、両腕を引くことにより上体を起き上げるように構成して成る点にある。
【００１０】
本発明の腹筋運動補助具は、前記中央部材を介して前記ベースバーとハンドルバーの間隔距離を変更可能とする間隔調節手段と、所定の間隔状態で固定する固定手段とを備えることが好ましい。
【００１１】
本発明の第１実施形態において、前記間隔調節手段は、中央部材を構成する外筒部材と内筒部材を相互に伸縮可能となるように嵌挿することにより形成されており、前記固定手段は、外筒部材と内筒部材を所定の伸縮位置で相互に固定する固定具により形成されている。
【００１２】
本発明の第２実施形態において、前記間隔調節手段は、ベースバー又はハンドルバーを選択的に挿通させるように中央部材の軸方向に所定間隔をあけて設けられた複数の選択孔により形成され、前記固定手段は、ベースバー又はハンドルバーを選択孔に挿通した状態で遊動不能に固定する固定具により形成されている。
【発明の効果】
【００１３】
本発明の腹筋運動補助具によれば、ユーザＵは、仰向けで膝を立てた姿勢として、両太腿の間に中央部材２を挟持すると共に両太腿の裏側に前記ベースバー３を当接させ、この状態でハンドルバー４を両手で握持し、両腕を引くことにより上体を起き上げることができる。従って、両腕の腕力の助けを借りながら腹筋を働かせることにより上体を起き上げるので、腹筋の筋力が十分に鍛練されていないユーザの腹筋運動を好適に補助することができる。
【００１４】
この際、ハンドルバー４は、両太腿の表側の近傍に位置するので、ユーザの上体を胸部がハンドルバー４に接近する位置まで屈折させることが可能であり、伏臥姿勢と起き上がり姿勢の間の角度が十分な範囲のものとなる。
【００１５】
また、ハンドルバー４は、両太腿の間に挟持された中央部材２に固定されており、運動中の両腕が安定するから、腹筋を補助するための腕力を容易に加えることができ、腹筋が鍛練されるまでは、腹筋の他にも腕の筋肉を好適に鍛練することができる。
【００１６】
更に、上体を起き上げる際に、膝を立てた太腿に力が入るので、両太腿により中央部材２を強く挟着するように筋肉が働き、これにより太腿の筋肉も適度に鍛練できる。
【００１７】
そして、請求項２ないし４に記載のように、間隔調節手段７と固定手段１０を設けた構成とすれば、ベースバー３とハンドルバー４の間隔距離Ｌを調節自在かつ固定自在とするので、必要に応じて、短い間隔距離Ｌ１とした状態での使用と、長い間隔距離Ｌ２とした状態での使用が可能になり、これにより、ユーザは、自己の身長に応じた適切な間隔距離Ｌを選択することができる。また、運動開始の初期は、長い間隔距離Ｌ２で使用することにより運動量を小さくしておき、筋力が鍛練された後は、短い間隔距離Ｌ１に変更することにより運動負荷を大きくするような使い方が可能になる。
【発明を実施するための最良の形態】
【００１８】
以下図面に基づいて本発明の好ましい実施形態を詳述する。
【００１９】
図１に示すように、腹筋運動補助具１は、ユーザＵの両太腿Ｕ１、Ｕ１の間に配置される中央部材２と、膝Ｕ２を曲げた両太腿Ｕ１、Ｕ１の裏側に位置して前記中央部材２から左右両側に延びる足掛け部３ａ、３ａを備えたベースバー３と、前記両太腿Ｕ１、Ｕ１の表側に位置して前記中央部材２から左右両側に延びるグリップ４ａ、４ａを備えたハンドルバー４とを備えている。尚、ユーザの身体を基準として、「表側」は正面側を意味し、「裏側」は背面側を意味している。
【００２０】
そこで、ユーザＵは、仰向けで膝Ｕ２、Ｕ２を立てた姿勢として、両太腿Ｕ１、Ｕ１の間に中央部材２を挟持すると共に両太腿Ｕ１、Ｕ１の裏側に前記ベースバー３の足掛け部３ａ、３ａを当接させ、この状態で前記ハンドルバー４のグリップ４ａ、４ａを両手Ｕ３、Ｕ３で握持し、両腕Ｕ４、Ｕ４を引くことにより上体Ｕ５を起き上げ、これにより腹筋の鍛練を行うことができる。
【００２１】
従って、両腕Ｕ４、Ｕ４の腕力の助けを借りながら腹筋を働かせることにより上体Ｕ５を起き上げるので、腹筋の筋力が十分に鍛練されていないユーザの腹筋運動を好適に補助する。この際、ハンドルバー４は、両太腿Ｕ４、Ｕ４の表側の近傍に位置するので、ユーザＵの上体Ｕ５を胸部がハンドルバー４に接近する位置まで屈折することが可能であり、伏臥姿勢と起き上がり姿勢の間の角度を十分な範囲となるように設定できる。
【００２２】
しかも、ハンドルバー４は、両太腿Ｕ１、Ｕ１の間に挟持された中央部材２に固定されており、運動中の両腕Ｕ４、Ｕ４が安定するので、腹筋を補助するための腕力を容易に加えることができ、また、腹筋が鍛練されるまでの間は、腕の筋肉を好適に鍛練することができる。
【００２３】
更に、上体Ｕ５を起き上げる際に、膝Ｕ２を立てた太腿Ｕ１に力が入り、両太腿Ｕ１、Ｕ１により中央部材２を強く挟着するように筋肉を働かせるので、太腿Ｕ１の筋肉が適度に鍛練される。
【００２４】
（第１実施形態）
図２ないし図４に腹筋運動補助具１の第１実施形態を示しており、前記中央部材２は、外筒部材５と内筒部材６を相互に伸縮可能となるように嵌挿することにより間隔調節手段７を構成している。従って、入れ子式に嵌挿された外筒部材５と内筒部材６を相互に摺動させることにより、ベースバー３とハンドルバー４の間隔距離Ｌを変更することが可能である。
【００２５】
そこで、外筒部材５に形成した雌ネジ孔８と、該雌ネジ孔８に外側から螺挿される雄ネジ部材９ａから成る固定具９により構成された固定手段１０が設けられており、外筒部材５と内筒部材６を相互に前記所定の伸縮位置で固定可能としている。固定手段１０は、雄ネジ部材９ａの尾端に設けたノブ９ｂを指先で摘んで固定具９を回動することにより螺進又は螺退させられる。従って、雄ネジ部材９ａを螺進させ内筒部材６に圧接すれば、内外筒部材６、５が伸縮不能に固定され、反対に、雄ネジ部材９ａを螺退させ内筒部材６から離反すれば、内外筒部材６、５が伸縮可能に固定解除される。このような構成により、前記間隔距離Ｌを無段階に調節した位置で内外筒部材６、５を固定することが可能であるが、図例の場合、螺進する雄ネジ部材９ａの先端を嵌合係止する複数の係止孔１１を内筒部材６の軸方向に所定間隔をあけて設けており、これにより、固定手段１０による固定状態を確実で堅固なものとしている。
【００２６】
上記構成によれば、ベースバー３とハンドルバー４の間隔距離Ｌが中央部材２を介して設けられた間隔調節手段７と固定手段１０により調節自在かつ固定自在とされているので、必要に応じて、図２（Ｂ）に示すような短い間隔距離Ｌ１とした状態での使用と、図２（Ｃ）に示すような長い間隔距離Ｌ２とした状態での使用が可能になる。従って、ユーザＵは、自己の身長に応じた適切な間隔距離Ｌを選択することができる。また、腹筋運動開始後の初期は、長い間隔距離Ｌ２で使用することにより運動量を小さくしておき、筋力が鍛練された後は、短い間隔距離Ｌ１に変更することにより運動負荷を大きくするような使い方が可能になる。
【００２７】
尚、図例の場合、ベースバー３を外筒部材５に設け、ハンドルバー４を内筒部材６に設けているが、外筒部材５と内筒部材６の配置が反対となるように構成しても良い。
【００２８】
図３に示すように、ベースバー３は、中央部材２（図例の場合、外筒部材５）に貫通して固定されたコアバー１２に外挿固着した筒状パッド１３、１３により足掛け部３ａ、３ａを形成している。筒状パッド１３、１３は、ゴム、エラストマー、その他の弾性材により形成するのが好ましく、これにより使用時にユーザＵの太腿を保護する。尚、図示省略しているが、ハンドルバー４のグリップ４ａ、４ａも同様の筒状パッドにより形成しても良い。
【００２９】
（第２実施形態）
図５ないし図７に腹筋運動補助具１の第２実施形態を示しており、前記中央部材２は、ベースバー３又はハンドルバー４を選択的に挿通させるように軸方向に所定間隔をあけて設けられた複数の選択孔１４ａ、１４ｂ、１４ｃにより間隔調節手段７を構成している。図例の場合、間隔調節手段７は、ハンドルバー４を選択的に挿通させる選択孔１４により構成しているが、ベースバー３を選択的に挿通させる選択孔により構成しても良い。これにより、図５に示すように、ハンドルバー４を選択孔１４ａ、１４ｂ、１４ｃの何れかに選択的に挿通させることにより、ベースバー３とハンドルバー４の間隔距離ＬをＬ１、Ｌ２、Ｌ３のように変更することができる。
【００３０】
この際、図６に示すように、ハンドルバー４を選択孔１４に挿通した状態で遊動不能に固定する固定手段１０が設けられている。図例の場合、固定手段１０は、ハンドルバー４の外周に形成された装着溝１５に出没自在に嵌着された弾性リング１６と、選択孔１４の内周に形成された係止溝１７により構成されている。弾性リング１６は、拡径方向に付勢されており、常時は装着溝１５から膨出しているが、弾性に抗して縮径させると装着溝１５の内部に没入する。そこで、図６（Ｂ）に示すように、ハンドルバー４を一端から選択孔１４に挿入すると、選択孔１４の開口縁を介して弾性リング１６が装着溝１５の内部に没入し、更にハンドルバー４を軸方向に移動させると、図６（Ｃ）に示すように、弾性リング１６が係止溝１７に嵌入され、ハンドルバー４を選択孔１４の内部で遊動不能となるように固定する。この状態から、ハンドルバー４に対して軸方向の力を強く作用させると、弾性リング１６が装着溝１５の内部に没入し、ハンドルバー４を選択孔１４から抜き取ることができる。
【００３１】
図例の場合、弾性リング１６により固定具９が構成されているが、本発明の固定手段１０は、このような構成に限定されるものではなく、要するに、ハンドルバー４を選択孔１４に挿通した状態で遊動しないように固定するものであれば良い。
【００３２】
尚、ベースバー３は、上記第１実施形態と同様に、中央部材２に貫通して固定されたコアバー１２に外挿固着した筒状パッド１３、１３により足掛け部３ａ、３ａを形成しており、図５に示すように、筒状パッド１３、１３の外周面を断面多角形（図例の場合、ほぼ三角形）に形成し、その頂部をユーザＵが膝Ｕ２の裏側（ひかがみ）で挟持できるように構成することができる。
【図面の簡単な説明】
【００３３】
【図１】本発明の１実施形態の使用状態を示す外観斜視図である。
【図２】本発明の１実施形態を示しており、（Ａ）は分解状態を示す斜視図、（Ｂ）はベースバーとハンドルバーの間隔距離を長くした状態を示す斜視図、（Ｃ）はベースバーとハンドルバーの間隔距離を短くした状態を示す斜視図である。
【図３】第１実施形態の断面を示しており、（Ａ）は縦断側面図、（Ｂ）は縦断正面図である。
【図４】第１実施形態の外観を示しており、（Ａ）は平面図、（Ｂ）は正面図、（Ｃ）は底面図、（Ｄ）は左側面図である。
【図５】本発明の第２実施形態を示す外観斜視図である。
【図６】第２実施形態における間隔調節手段と固定手段の１実施例を示しており、（Ａ）は中央部材とハンドルバーの分解状態を示す斜視図、（Ｂ）は選択孔にハンドルバーを挿入している状態を示す断面図、（Ｃ）は選択孔にハンドルバーを挿入し終えた状態を示す断面図である。
【図７】第２実施形態の外観を示しており、（Ａ）は平面図、（Ｂ）は正面図、（Ｃ）は左側面図である。
【符号の説明】
【００３４】
１  腹筋運動補助具
２  中央部材
３  ベースバー
３ａ  足掛け部
４  ハンドルバー
４ａ  グリップ
５  外筒部材
６  内筒部材
７  間隔調節手段
９  固定具
１０  固定手段
１３  筒状パッド
１４  選択孔
【図１】
2009254552.tif 000003
【図２】
2009254552.tif 000004
【図３】
2009254552.tif 000005
【図４】
2009254552.tif 000006
【図５】
2009254552.tif 000007
【図６】
2009254552.tif 000008
【図７】
2009254552.tif 000009